(57)【要約】【課題】複数段の棚板を備えるショーケースに用いる棚板照明装置において、棚板の前端にプライスレールを設ける構成であっても、影を作らずに均一に照明可能なコンパクトな構成の棚板照明装置を提供する。【解決手段】棚板５とプライスレール４の間に照明ユニットを設け、長手方向に沿って連続した射出面から、長手方向に連続して均一な照明光を射出する構成の棚板照明装置１とし、複数段の棚板の前端にこの棚板照明装置をそれぞれ備えるショーケースＳＣとした。【選択図】図１
2012165877.tif 000002
【特許請求の範囲】
【請求項１】
複数段の棚板を備え、それぞれの棚板の前端にプライスレールを備えるショーケースのそれぞれの棚板に配設する棚板照明装置であって、
前記プライスレールと前記棚板の前端との間に設けられる照明ユニットを有し、
前記照明ユニットは、前記棚板の長手方向に間隔をおいて配設する複数の点状光源と、該光源から出射する光を前記長手方向と直交する異なる二方向に分岐して導光する導光経路と、導光された光を射出する射出部と、を備える照明光学系を有し、
前記射出部から離れた前記導光経路の中間部に前記プライスレールを支持する支持手段を設け、前記射出部は、前記長手方向に沿って連続した射出面を有し、該射出面から、長手方向に連続して照明光を射出することを特徴とする棚板照明装置。
【請求項２】
前記照明ユニットは、前記点状光源から出射される光が入射する入射面と、入射した光を異なる二方向に導光する第一、第二導光部と、前記射出部となる第一、第二射出面と、を有する導光体を備えていることを特徴とする請求項１に記載の棚板照明装置。
【請求項３】
前記導光体は、前記長手方向に複数に分割されていることを特徴とする請求項２に記載の棚板照明装置。
【請求項４】
前記導光体を介して前記支持手段を装着したことを特徴とする請求項２または３に記載の棚板照明装置。
【請求項５】
前記導光体の長手方向の端面に、前記支持手段を装着するための凹部を設けたことを特徴とする請求項２から４のいずれかに記載の棚板照明装置。
【請求項６】
前記支持手段は、前記凹部に嵌まり込む支持体部を有し、この支持体部に前記プライスレール側に設ける係合突部が係合する係合孔部を設けたことを特徴とする請求項５に記載の棚板照明装置。
【請求項７】
前記支持手段は、前記導光体と同じ断面形状の透明体からなり、複数に分割された導光体間に配設され、前記プライスレールを固定するためのネジ孔が設けられていることを特徴とする請求項２または３に記載の棚板照明装置。
【請求項８】
前記プライスレールは、前記支持手段を介して着脱自在であることを特徴とする請求項１から７のいずれかに記載の棚板照明装置。
【請求項９】
前端にプライスレールが装着される棚板を複数段備えるショーケースであって、それぞれの棚板の前端とプライスレールとの間に請求項１から８のいずれかに記載された棚板照明装置を備えたことを特徴とするショーケース。
【発明の詳細な説明】
【技術分野】
【０００１】
本発明は、棚板照明装置およびこの照明装置を備えたショーケースに関し、例えば、棚板の先端にプライスレールを備えるショーケース等に配設され、棚板上に陳列される商品の照明に好適な棚板照明装置およびこの棚板照明装置を備えたショーケースに関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。
【０００３】
近年、発光効率の向上や発光量の増加と共に、寿命が長く消費電力が小さくて、環境にやさしいとされるＬＥＤ（Light Emitting Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。
【０００４】
そのために、照明装置として、この白色ＬＥＤ光源を配設したＬＥＤ照明装置が用いられている。特に、ショーケースなどの陳列棚の照明装置として、消費電力が小さく、発熱も小さいＬＥＤ光源を用いることが模索されている。
【０００５】
また、複数段の棚板を備えるショーケースは、棚板の先端にプライスカードを保持するプライスレールが装着されているので、このような棚板に用いる照明装置は、プライスレール、および、このプライスレールを支持する支持部材などが影にならないようにして、棚板に載置される商品を均一に照明可能であることが望まれる。
【０００６】
例えば、棚板上の商品を照明する光源からの光を導光体を用いて下段の棚板に陳列された商品を照明する構成とし、さらに、光透過性の正札媒体や表示媒体を設けてバックライト照明するとした陳列棚の照明装置が既に提案されている（例えば、特許文献１参照）。
【０００７】
また、陳列棚の先端に設けられたプライスレール内にＬＥＤ光源を配設して、光源の手前側に設けた反射板を介して棚の上下を照射するとしたショーケースが既に提案されている（例えば、特許文献２参照）。
【先行技術文献】
【特許文献】
【０００８】
【特許文献１】特開平１０−１７９３４８号公報
【特許文献２】特開２０１０−７８２５１号公報
【発明の概要】
【発明が解決しようとする課題】
【０００９】
複数段の棚板を備えるショーケースにおいて、各棚板の前端に、棚板に陳列する商品を照明する照明装置、および、プライスレールを共に設ける場合には、プライスレールの装着が容易であり、プライスレールやプライスレールの支持部材などが影を作らず、棚上の商品を均一に照明できることが好ましい。
【００１０】
また、特許文献２に記載されたショーケースは、一つのＬＥＤ光源で棚の上下を同時に照明する構成であるので、少ない光源数で効率よく照明でき、ある程度の照度を確保しながら光源の部品点数を抑えることができコスト削減図ることができる。しかし、プライスレール内に設けたＬＥＤ光源の光を、プライスレールの裏面に設けた反射面を介して棚の上下を照明しているので、商品の前面を均一に照明することは困難である。
【００１１】
特に、牛乳パックや飲料ボトルなど背の高い商品を棚に陳列した際には、上側からの照明光も下側からの照明光も、綺麗な商標やロゴが印刷された商品中程当りに届き難くなり、消費者の視覚に訴えて購買意欲を喚起させる効果が小さくなる虞が生じる。
【００１２】
また、広範囲を照明するために反射面を大きくすると、照明装置ユニットが大きくなってしまったり、厚みが厚くなってしまったりして、棚開口や商品スペースが狭くなり問題となる。さらに、プライスレールを棚板に取り付けるために下壁が後方に伸びており、この下壁に設けた複数の透孔を通して照明されるようになっているため、透孔以外の部分で影ができ問題となる。
【００１３】
本発明は、上記の事情に鑑みてなされたものであって、複数段の棚板を備えるショーケースに用いる棚板照明装置において、棚板の前端にプライスレールを設ける構成であっても、影を作らずに均一に照明可能なコンパクトな構成の棚板照明装置を提供することを目的とする。
【課題を解決するための手段】
【００１４】
上記目的を達成するために本発明は、複数段の棚板を備え、それぞれの棚板の前端にプライスレールを備えるショーケースのそれぞれの棚板に配設する棚板照明装置であって、前記プライスレールと前記棚板の前端との間に設けられる照明ユニットを有し、前記照明ユニットは、前記棚板の長手方向に間隔をおいて配設する複数の点状光源と、該光源から出射する光を前記長手方向と直交する異なる二方向に分岐して導光する導光経路と、導光された光を射出する射出部と、を備える照明光学系を有し、前記射出部から離れた前記導光経路の中間部に前記プライスレールを支持する支持手段を設け、前記射出部は、前記長手方向に沿って連続した射出面を有し、該射出面から、長手方向に連続して照明光を射出することを特徴としている。
【００１５】
上記の構成によると、棚板とプライスレールの間に照明ユニットを設け、長手方向に沿って連続した射出面から、長手方向に連続して照明光を射出するので、棚板の前端にプライスレールを設ける構成であっても、影を作らずに均一に照明可能なコンパクトな構成の棚板照明装置を得ることができる。
【００１６】
また本発明は上記構成の棚板照明装置において、前記照明ユニットは、前記点状光源から出射される光が入射する入射面と、入射した光を異なる二方向に導光する第一、第二導光部と、前記射出部となる第一、第二射出面と、を有する導光体を備えていることを特徴としている。この構成によると、導光体を用いて導光経路を形成し、導光体の各面における屈折を利用して射出方向を制御できるので、それぞれの面を所定方向に傾けることで所定の方向を効果的に照明することができる。
【００１７】
また本発明は上記構成の棚板照明装置において、前記導光体は、前記長手方向に複数に分割されていることを特徴としている。この構成によると、棚板の長さに応じて、製作容易な所定長さの導光体を組み合わせることができ、低コストで効果的な照明が可能な照明装置を構築することができる。
【００１８】
また本発明は上記構成の棚板照明装置において、前記導光体を介して前記支持手段を装着したことを特徴としている。この構成によると、導光体を介してプライスレールを取り付ける構成となるので、プライスレールを棚板に取り付けるためのその他の取付部材が不要となる。そのために、この支持手段による影を作らず、均一な照度の照明光を射出して棚板上に陳列された商品を均一に照明することができる。
【００１９】
また本発明は上記構成の棚板照明装置において、前記導光体の長手方向の端面に、前記支持手段を装着するための凹部を設けたことを特徴としている。この構成によると、導光体の光路の中間部に支持手段を設けることになるので、射出面から射出する光は、この支持手段により遮光されない光が回り込んで射出する。そのために、この支持手段が金属板などの導光しない材質であっても影を作らない構成となって、強度の高い支持手段を用いて高強度にプライスレールを支持しながら、棚板上に陳列された商品を均一に照明することができる。
【００２０】
また本発明は上記構成の棚板照明装置において、前記支持手段は、前記凹部に嵌まり込む支持体部を有し、この支持体部に前記プライスレール側に設ける係合突部が係合する係合孔部を設けたことを特徴としている。この構成によると、支持手段側の係合孔部にプライスレール側の係合突部を嵌め込むだけでプライスレールを取り付けることができるので、プライスレールの着脱操作が容易となる。そのために、プライスレールに取り付けるプライスカードの交換作業なども容易に行うことができる。
【００２１】
また本発明は上記構成の棚板照明装置において、前記支持手段は、前記導光体と同じ断面形状の透明体からなり、複数に分割された導光体間に配設され、前記プライスレールを固定するためのネジ孔が設けられていることを特徴としている。この構成によると、支持手段が導光性を発揮して導光経路を形成し、導光された光を射出する。そのために、導光体の射出面と共に連続した射出面を形成し、プライスレール支持によって影ができず均一に照明することができる。
【００２２】
また本発明は上記構成の棚板照明装置において、前記プライスレールは、前記支持手段を介して着脱自在であることを特徴としている。この構成によると、プライスカードなどの交換作業を、所定のプライスレールを取り外して簡単に行うことができるので、作業性が向上して、棚板を複数段備えるショーケースにとって好適な棚板照明装置となる。
【００２３】
また本発明は、前端にプライスレールが装着される棚板を複数段備えるショーケースであって、それぞれの棚板の前端とプライスレールとの間に請求項１から８のいずれかに記載された棚板照明装置を備えたことを特徴としている。
【００２４】
上記の構成によると、着脱容易なプライスレールを備え、プライスレールの支持手段の影を作らずに、棚板上に陳列された商品を、棚板の上下から均一に照明可能なショーケースを得ることができる。
【発明の効果】
【００２５】
本発明によれば、棚板とプライスレールの間に照明ユニットを設け、長手方向に沿って連続した射出面から、長手方向に連続して均一な照明光を射出する構成の棚板照明装置としこの棚板照明装置を備えたショーケースとしたので、棚板の前端にプライスレールを設ける構成であっても、プライスレール支持手段の影を作らずに均一に照明可能な棚板照明装置を得ることができ、棚板上に陳列された商品を棚板の上下から均一に照明可能なショーケースを得ることができる。
【図面の簡単な説明】
【００２６】
【図１】第一実施形態例のプライスレール支持手段を備える棚板照明装置を示す概略断面図である。
【図２】プライスレール部の概略正面図である。
【図３】棚板照明装置の照明光学系を説明する概略断面図である。
【図４】図３に示す棚板照明装置の全体形状を示す斜視図である。
【図５】棚板照明装置とプライスレールを装着した棚板の一例を示す外観斜視図である。
【図６】第二実施形態のプライスレール支持手段を備える棚板照明装置とプライスレールの組立構成を示す分解斜視図である。
【図７】第二実施形態のプライスレール支持手段を備える棚板照明装置を示す概略斜視図である。
【図８】図７に示す棚板照明装置の導光体部での概略断面図である。
【図９Ａ】図７に示す棚板照明装置の支持手段部での概略断面図である。
【図９Ｂ】図９Ａに示す支持手段にプライスレール側の係合突部を嵌め込む操作を示す説明図である。
【図９Ｃ】図９Ｂに示す支持手段の概略正面図である。
【図１０Ａ】第三実施形態のプライスレール支持手段を示す概略断面図である。
【図１０Ｂ】図１０Ａに示す支持手段の正面図である。
【図１０Ｃ】図１０Ａに示す支持手段を備えた照明装置の概略正面図である。
【図１１】棚板先端に本発明に係る照明装置を取り付けた概略説明図である。
【図１２Ａ】棚板先端に支持部材を用いてプライスレールを取り付けた従来構成を示す拡大説明図である。
【図１２Ｂ】図１２Ａの外観を示す概略斜視図である。
【図１３】複数段の棚板を有するショーケースの一例を示す側面図である。
【発明を実施するための形態】
【００２７】
以下に本発明の実施形態を図面を参照して説明する。また、同一構成部材については同一の符号を用い、詳細な説明は適宜省略する。
【００２８】
まず、図１を用いて本発明に係る棚板照明装置の第一実施形態例について説明する。図１に示す棚板照明装置１は、点状光源２と、この点状光源２から出射される光を異なる二方向に分岐して導光する導光体３を備え、棚板５の前端に装着されて棚板の上下を同時に照明する照明ユニットとされる。また、導光体３の外側にプライスレール４が取り付けられている。つまり、棚板５の前端とプライスレール４との間に照明ユニットが設けられた構成である。
【００２９】
すなわち、この照明ユニットは、棚板５の長手方向に間隔をおいて配設する複数の点状光源２と、該光源から出射する光を長手方向と直交する異なる二方向に分岐して導光する導光経路と、導光された光を射出する射出部と、を備える照明光学系を有する。また、射出部から離れた導光経路の中間部にプライスレール４を支持する支持手段４１を設けている。本実施形態では、導光体３を用いた照明ユニットとし、この導光体３を介して支持手段４１を装着する構成としている。すなわち、照明ユニット（導光体３）にプライスレール４を直接固定する構成としている。
【００３０】
例えば、導光体３の正面側にネジ孔を設け、このネジ孔にプライスレール４をネジ止めする。つまり、プライスレール４に止めネジが挿通自在な開口を設け、裏板４ａに止めネジのネジ部が挿通自在な開口孔を設け、この開口および開口孔を貫通して止めネジを装着してプライスレール４を導光体３に固定することができる。すなわち、ネジ孔と止めネジとが支持手段４１を構成する。
【００３１】
また、ネジ孔に替えて導光体３に貫通孔を設け、裏側の取付板となる第三反射板１３にネジ孔を設けて、この貫通孔から第三反射板１３に至る長さを有する止めネジを用いてプライスレール４をネジ固定することができる。いずれにしても、導光経路の中間部に設けられる支持手段４１（止めネジ）を介してプライスレール４を照明ユニットに固定している。
【００３２】
導光体３を備える棚板照明装置１は、棚板５の前端に、例えば、第一反射板１１（第一上反射板１１ａ）や第三反射板１３を兼用する取付部材ＢＫ、および、第一下反射板１１ｂを兼ねる取付部材６にネジ止めされて固定される。この取付部材ＢＫを介して点状光源２も固定される。また、棚板５に陳列する商品の落下を防ぐために、上ガード棒８ａと下ガード棒８ｂを備えるガード体８が設けられる。
【００３３】
点状光源２は、例えばＬＥＤ光源であって、青色ＬＥＤチップと、このＬＥＤチップからの光に励起されて所定波長の励起光を発光する蛍光体と、を組み合わせて白色発光する白色ＬＥＤ光源を用いる。
【００３４】
ＬＥＤ光源からなる点状光源２から出射される光は、第一反射板１１（第一下反射板１１ｂ）で少なくとも一度反射した後第二反射板１２で少なくとも一度反射され第一射出面３２ａへ導かれる光束ＲＡと、第一反射板１１（第一上反射板１１ａ）で少なくとも一度反射した後第二反射板１２で少なくとも一度反射され第二射出面３３ａへ導かれる光束ＲＢとに分岐される。また、この第一射出面３２ａと第二射出面３３ａは長手方向に連続している。すなわち、この支持手段４１を備えた照明ユニットが備える射出部は、長手方向に沿って連続した射出面を有し、該射出面から、長手方向に連続して均一な照明光を射出する。
【００３５】
例えば、図２に示すように、長手方向に長いプライスレール４に複数の開口４２を所定ピッチで設け、この開口４２から止めネジ４１Ａを挿入して固定する構成とする。この止めネジ４１Ａは、導光体３の中間部に装着されるので、プライスレール４を支持する支持手段４１（例えば、止めネジ４１Ａ）は、導光経路の中間部に位置する構成となる。そのために、射出面から射出する光は、この支持手段４１により遮光されない光が回り込んで射出する構成となって、影を作らずに照明可能となる。
【００３６】
このように、棚板５とプライスレール４の間に照明ユニットを設け、長手方向に沿って連続した射出面から、長手方向に連続して均一な照明光を射出するので、棚板５の前端にプライスレール４を設ける構成であっても、影を作らずに均一に照明可能なコンパクトな構成の棚板照明装置１を得ることができる。
【００３７】
そのために、この支持手段４１が金属製などの導光しない材質であっても影を作らない構成となって、強度の高い支持手段４１を用いて高強度にプライスレール４を支持しながら、棚板５上に陳列された商品を上下二方向からの照明光によって均一に照明することができる。そのために、コンパクトな構成で大型化せずに強度確保してプライスレールを支持し、影を作らずに均一に照明可能となる。
【００３８】
次に、棚板照明装置１が備える照明光学系について図３を用いて説明する。
【００３９】
導光体３は、点状光源２から出射される光が入射する入射面と、反射部となる第二面と、射出部となる第三面とを少なくとも有する。また、この導光体３は、例えば、棚板５の先端に取り付けて、棚の上下を同時に照明する棚板照明装置に好適に適用され、一つの点状光源２が射出する光を異なる二方向に分岐して導光している。このような構成であれば、棚に陳列した商品を上下の二方向から照明することができるので、影ができ難く、物体表面を均一に照明可能である。
【００４０】
本実施形態に係る導光体３は、入射部３１と第一導光部３２（第一導光経路に相当）と第二導光部３３（第二導光経路に相当）とを備えて異なる二方向に射出する断面Ｔ型とされ、例えば、屈折率が約１．５の透光性部材（ＰＭＭＡ：アクリル）製からなる。そのために、全反射角は約４２度となる。
【００４１】
断面Ｔ型の軸部に相当する入射部３１を保持する第一反射板１１（第一上反射板１１ａと第一下反射板１１ｂを合わせた総称）を設け、この第一反射板１１に点状光源２を構成するＬＥＤ光源を搭載するＬＥＤ基板２１を固定する。導光体３、第一反射板１１、および、ＬＥＤ基板２１は、図面を貫通する方向を長手方向とする長尺部材とされ、ＬＥＤ光源からなる点状光源２が長手方向に複数並設された構成とされる。
【００４２】
入射部３１は、点状光源２に対向する面にＶ溝状の入射面を備えており、異なる二方向に光束を分岐する第一入射面３１ａと第二入射面３１ｂとがＶ溝状に交差している。すなわち、入射面の点状光源２に対向する位置に、略Ｖ型断面の屈折面を設けて光束分岐部を形成している。このような構成であれば、点状光源２が射出する光を、直接受けて異なる二方向に分岐するので、それぞれの射出部（第一射出面３２ａ、第二射出面３３ａ）に効率的に導光することができて好ましい。
【００４３】
点状光源２がＬＥＤ光源であれば、このＬＥＤ光源は、入射面に形成した略Ｖ型断面のＶ溝部に配置されることになる。このように、ＬＥＤ光源をＶ溝部に配置することで、射出角度の大きなＬＥＤ光源を用いても、導光経路中に効率的に入射することができ、高効率の棚板照明装置を実現することができる。
【００４４】
また、入射部３１に対向する面（第二面）側に第二反射板１２を取り付け、この第二反射板１２と対向する位置にある背面部に第三反射板１３を取り付けていて、この第二反射板１２と第三反射板１３とで、導光体３の第一導光部３２を構成する胴体部を挟持する。すなわち、第二反射板１２と第三反射板１３は、第一導光経路を規定する部材となる。
【００４５】
導光体３は前述したように屈折率１以上の透明体で構成される。本実施形態では、屈折率が約１．５のＰＭＭＡ製としたが、これ以外の材質からなる導光体でもよく、用途に応じて、ガラス材料、ＰＭＭＡ以外のアクリルやポリカなどの透明樹脂を用いてもよい。
【００４６】
導光体３と全ての反射板の間は空気層であり、導光体中を導光する光は、導光体３の屈折率に応じ、全反射条件を満足する場合は、導光体面で全反射し、全反射条件を満足しない場合は、一旦導光体３から出た後、反射板面で反射し、再び導光体中に戻り、射出面に至るまで導光される。
【００４７】
Ｖ型断面の光束分岐部を形成する第一入射面３１ａと第二入射面３１ｂの交差角度は例えば１２０度である。この交差角度は、点状光源２の発光面サイズや発光角、導光体３の厚み、照明光の射出方向などにより、９０〜１５０度の範囲で設定される。この光束分岐部を介して、点状光源２から射出された光は、断面Ｖ型の入射面で、直進方向から屈折され、直進方向に対し、異なる二方向に（例えば、上側と下側に向かう光に）分岐され、導光体中を射出面に向かって導光される。
【００４８】
また、図中に、照明光の主な光線を破線で示す。光線Ｌ１は、点状光源２から射出し、第一入射面３１ａで屈折し、第一上反射板１１ａに当らず第二面に到達し、第二面外側の第二反射板１２で反射された後、第三反射板１３との間で繰り返し反射して第一射出面３２ａに導かれ、屈折して射出される。
【００４９】
光線Ｌ２は、点状光源２から射出し、第二入射面３１ｂで屈折し、第一下反射板１１ｂに当らず第二面に到達し、第二面外側の第二反射板１２で反射された後、下側射出面となる第二射出面３３ａに導かれ、屈折して射出される。
【００５０】
光線Ｌ３は、点状光源２から射出し、第二入射面３１ｂで屈折し、第一下反射板１１ｂで全反射して第二面に到達する。その後、光線Ｌ１と略同様の振る舞いにより第一射出面３２ａに導かれ、屈折して射出される。
【００５１】
光線Ｌ４は、点状光源２から射出し、第一入射面３１ａで屈折し、第一上反射板１１ａで全反射して第二面に到達する。その後、光線Ｌ３と略同様の振る舞いにより第二射出面３３ａに導かれ、屈折して射出される。
【００５２】
そのために、第一上反射板１１ａと第一下反射板１１ｂの間隔および長さを最適に設定することにより、光線Ｌ１と同様の振る舞いをする光束と、光線Ｌ３と同様の振る舞いをする光束の配光特性が、共に所望の照明光配光特性となるように制御することにより、点状光源２から射出された光を無駄なく、効率的に照明光として用いることができ、高効率の明るい棚板照明装置を実現することができる。光線Ｌ２と光線Ｌ４の振る舞いについても同様である。
【００５３】
本実施形態では、光線Ｌ１とＬ３、光線Ｌ２とＬ４が、同様の配光特性を有するように制御したが、全く異なる方向の配光特性を持つように制御することにより、より広範囲に照明する棚板照明装置とすることも可能である。
【００５４】
また、例えば、上側射出面である第一射出面３２ａは、第二反射板１２を取り付ける第二面に対して所定角度、例えば約２０度傾いている。この傾きにより、第一射出面３２ａに到達した照明光の多くは進行方向から、より上方に向かって屈折され射出される。
【００５５】
上記したように、この第一射出面３２ａの傾斜角度は、第二面に対して平行位置から所定角度、例えば１〜３０度程度、好ましくは１５〜２０度傾斜していることが好ましい。また、光源から離れるに従って第二面と第三面（射出面）との間隔が徐々に狭くなっていることが好ましい。このような構成であれば、第三面の傾きを第二面に略平行で、且つ、光源から射出面先端に向かうに従って厚みが減少するような傾きを持たせることにより、射出面から射出する照明光を第二面に沿った角度で射出することができ、照明光学系の幅が狭くても広範囲を効率的に照明することができる。
【００５６】
また、下側射出面である第二射出面３３ａは、第二反射板１２を取り付ける第二面に対して所定角度、例えば１０度傾いている。この傾きにより、第二射出面３３ａに到達した照明光の多くは、上方照明よりも、より後ろ側に配光中心を有する照明光として射出される。
【００５７】
上側照明は、射出面近くに被照明物体の面が配置されることが多いため、広範囲に照明することが求められる。一方、下側照明は、棚板照明装置が取り付けられる棚板の一段下の棚板に載置された物体の上部を照明するため、被照明物体と距離があることが多い。そのために、下側照明の配光中心を後ろ側に傾けることにより、棚板の奥まで並べられた物体を上側から照明することが可能となる。すなわち、物体表面を正面から照明すると同時に、上方から奥の方まで照明でき、棚に載置された商品などを容易に観察できる。
【００５８】
また、第二面に取り付ける第二反射板１２の内面は、拡散特性を有する反射面であることが好ましく、例えば、金属製カバーの内面を白塗装したものを用いるとよい。この拡散度合いは、例えばガウス散乱、拡散角度σが１０〜３０度程度に設定されることが望ましい。拡散角度が大きすぎると、照明光が広角度に発散してしまい、無駄な領域まで照明し照明効率が下がるだけでなく、物体の観察者（例えば、商品の購入者）側へ向かい、物体観察を邪魔するような不要な照明光となる場合もある。
【００５９】
第二反射板１２を取り付ける導光体３の第二面も拡散面であることが好ましい。例えば、導光体３の表面に細かな凹凸を設けることにより拡散面化することができる。また、この拡散度合いも、上記した第二反射板１２の内面に設ける拡散面と同程度の拡散特性であることが望ましい。
【００６０】
上側射出面および下側射出面からの照明光は、その多くが射出面で屈折する。従って、導光体材料の色分散度合いにより、照明光に色ムラが生じることがある。また、一度射出面に当っても全反射して第二面側に異なる角度で向かい、再度第二面および第二反射板１２で反射されて射出面から射出する光束も存在する。射出面での全反射回数の違いにより、射出面からの射出方向が異なるため、照度ムラが生じる。この際に、第二反射板１２内面と導光体３の第二面を拡散面化することにより、これらの色ムラや照度ムラを改善し、より均一な高品位な棚板照明装置を実現することができる。
【００６１】
すなわち、第二面側に所定の拡散特性を有する拡散部１４を設けることで、所定の角度範囲に拡散され反射された光を射出面に導き、色ムラや照度ムラを低減した照明光を射出することが可能となる。このように、第二面は、射出面に向けて反射光を反射する部位に、入射した光を所定角度範囲に拡散しながら反射する拡散部１４を設けていることが好ましい。このような構成であれば、所定角度範囲に拡散された光が射出面から射出されるので、照度ムラや色ムラを改善した照明光を射出することができる。
【００６２】
また、導光体３の上端面３２ｂに平面部が設けられ、第二反射板１２の延長面で覆われていてもよい。このような構成であれば、この棚板照明装置１を複数段の棚板５の前端に装着して用いたとき、観察者の視点よりも下方に配置される棚板照明装置から、照明光が上側に向かって射出されても、観察者がまぶしくならず、容易に観察することができて好ましい。
【００６３】
また、導光体３の下端面３３ｂに平面部が設けられ、照明光を下側にも射出する構成とされていてもよい。例えば、棚板の先端位置が下段に従って手前に配置される棚の場合には、後方に向けて射出される照明光のみでは、物体の上前面を高品位に照明することができないことがある。そのために、本実施形態のように、下方の直下方向にも照明光を射出することにより、下段をより高品位に照明することができる。
【００６４】
このように、導光体３を用いて導光経路を形成し、導光体３の各面における屈折を利用して射出方向を制御できるので、それぞれの面を所定方向に傾けることで所定の方向を効果的に照明することができる。また、それぞれの面（入射面、反射面、射出面）は、光学パワーを与えるように、凹や凸の曲面形状に形成してもよい。光学パワーを適宜与えることにより、種々の配光特性を有した照明を実現することができる。
【００６５】
棚板照明装置１は、例えば、図４に示すように、長尺とされ、長手方向に複数の点状光源２を並設した構成とされる。また、その断面は略Ｔ型であって、その長さは、例えば、装着する棚板の幅程度の長さである。
【００６６】
そのために、棚板の全幅を均一に照明するために、棚板の幅程度の長さのＬＥＤ基板２１を設け、この上に点状光源２となるＬＥＤ光源を所定ピッチで複数個搭載している。ただし、棚幅が広い場合は、複数の基板に分け、それぞれを電気的に接続する構成としてもよい。また、このＬＥＤ光源の設置間隔は、第二反射板１２の高さ（導光体３の第二面の高さ）程度の長さに設定されておればよい。
【００６７】
これは、点状光源２から発光して射出面から射出されるまでの光路長よりも短い間隔であれば、隣り合う光源同士の射出光が混ざり合うからである。点状光源２の間隔を広く取ると、点状光源２の設置数量を減らすことができコストダウンできる。
【００６８】
しかし、設置間隔が広くなればなるほど、長手方向の照度ムラができ易くなるため、照明光の光路長よりも短い長さ、例えば、本実施形態のように、第二反射板１２の高さ程度の間隔であることが好ましい。
【００６９】
また、本実施形態では、断面Ｔ型としているため、光源から射出面に至る光路長は、照明ユニットの幅（厚さ）よりも長くなる。従って、照明ユニットのサイズを上下方向に薄型に設定しても、点状光源２の設置間隔を広く設定することが可能となり、コストダウン化に有利な構成である。
【００７０】
照明ユニットの両サイドは、サイドカバー１５で覆われ、導光体３の左右両端面から外側に照明光が射出されないことが好ましい。また、サイドカバー１５の内面は反射面とされ、サイドカバー１５に到達した照明光は再度導光体３内に戻され、いずれかの反射面で反射した後、射出面から照明光として射出される。
【００７１】
このように、本実施形態に係る照明光学系は、断面Ｔ型の長手方向に点状光源２を所定間隔で複数並設し、この長手方向に沿って長寸の射出部を有する。そのために、複数の点状光源２を用いて高照度で照明光学系の長手方向に広く照明が可能である。また、繰り返し反射しながら導光する導光経路を有するので、複数並設する点状光源２の配置ピッチが広くても、長手方向の照度ムラを低減して一様に照明することができ、点状光源の設置数量が少なくてよいので、コストダウンが可能となる。
【００７２】
上記した照明光学系は、上下方向に非対称である。また、上側のみに背面反射面（第三反射板１３Ｃ）を有し、光源から射出面までの光路を長く確保している。この背面反射面の後方が、棚板の端面に接するように棚板に固定することにより、照明光学系から射出する光を、効率的に照明対象物に導くことができる。
【００７３】
そのために、点状光源２と導光体３を備え、棚板の先端に装着される棚板照明装置１は、点状光源２の光を配光制御して所望の特定方向に明るく効率よく均一に照明することができて、上下に複数段の棚板５を有するショーケースに陳列された商品を良好に照明することが可能となる。
【００７４】
次に、棚板照明装置１とプライスレール４を備えた棚板５の構成について、図５および図６を用いて説明する。
【００７５】
図５は、棚板５の外観を示す斜視図であり、図６は、棚板照明装置１とプライスレール４の組立構成を示す分解斜視図である。また、図６には、第二実施形態のプライスレール支持手段を備えた構成例を示す。
【００７６】
図５に示すように、長さＬの棚板５の前端にプライスレール４が装着されている。また、プライスレール４と棚板５の間に棚板照明装置１が配設されている。この棚板照明装置１は、棚板５の長さＬと同じ幅の一枚の導光体を用いたものであっても、複数の小幅の導光体を連結した構成であってもよい。また、プライスレール４を棚板照明装置１に固定する構成も、ネジ止め以外の固定方法でもよい。
【００７７】
例えば、図６に示すように、導光体３を４分割して、小幅導光体３Ａ、３Ｂ、３Ｃ、３Ｄから構成する。さらに、この小幅導光体の連結部にプライスレール支持手段４１Ｂ（第二実施形態の支持手段）を設ける構成とする。
【００７８】
導光体３が長手方向に複数に分割されていると、棚板５の長さに応じて、製作容易な所定長さの導光体を組み合わせることができ、低コストで効果的な照明が可能な棚板照明装置を構築することができて好ましい。
【００７９】
また、導光体３（３Ａ、３Ｂ、３Ｃ、３Ｄ）の長手方向の端面に、支持手段４１Ｂを装着するための凹部３４を設ける。この構成であれば、導光体３の光路の中間部に形成される開口部に支持手段４１Ｂを設けることになるので、射出面から射出する光は、この支持手段４１Ｂにより遮光されない光が回り込んで射出する。そのために、この支持手段４１Ｂが金属製などの導光しない材質であっても影を作らない構成となって、強度の高い支持手段４１Ｂを用いて高強度にプライスレール４を支持しながら、棚板５上に陳列された商品を均一に照明することができる。
【００８０】
導光体３（３Ａ、３Ｂ、３Ｃ、３Ｄ）は、例えば、第一反射板１１（第一上反射板１１ａ）や第三反射板１３を兼用する取付部材ＢＫ、および、第一下反射板１１ｂを兼ねる取付部材６にネジ止めされて固定される。また、ＬＥＤ基板２１もこの取付部材ＢＫに固定される。
【００８１】
そして、隣り合う導光体（例えば導光体３Ａと導光体３Ｂとの間）の端面に形成された凹部３４同士が連結されて開口部３５を形成する。この開口部３５に支持手段４１Ｂを嵌め込むようにして取付部材ＢＫにネジ固定する。
【００８２】
支持手段４１Ｂは、凹部３４に嵌まり込む支持体部を有し、この支持体部にプライスレール側に設ける係合突部が係合する係合孔部を設けている。例えば、図９Ｃに示すように、正面視略矩形の支持体部４１Ｂａに大円部と小幅溝部とを有する係合孔部４１Ｂｅを備えた構成とし、プライスレール側に、大円部に嵌合する大径部と小幅溝部に係合する小径部を有する係合突部４３を設ける構成とする。この構成であれば、支持手段側の係合孔部４１Ｂｅにプライスレール側の係合突部４３を嵌め込んでプライスレール４を取り付けることができるので、プライスレール４の装着操作が容易となる。そのために、プライスレール４の交換作業やプライスレール４に取り付けるプライスカードの交換作業なども容易に行うことができて好ましい。
【００８３】
すなわち、図７に示すように、プライスレール４の裏板４ａに係合突部４３を予め装着しておき、この係合突部４３を支持手段４１Ｂの係合孔部４１Ｂｅに嵌め込むようにしてプライスレール４を導光体３Ａ、３Ｂに取り付けることができる。
【００８４】
上記した構成であれば、プライスレール４を導光体３、すなわち、照明ユニットに対して着脱自在となって、プライスカードが外し難いスライド式としながら、所定のプライスレール４を取り外してプライスカードの取り換え作業を簡単に行うことができる。そのために、プライスカード交換作業の作業性が向上して、棚板を複数段備えるショーケースにとって好適な棚板照明装置１となる。
【００８５】
また、導光体３とプライスレール４との間に第二反射板１２を設ける構成に替えて、プライスレール４自体を反射板として用いることも可能である。例えば、導光体部分での断面図である図８に示すように、導光体３にプライスレール４を直接当接した構成とする。
【００８６】
この場合は、プライスレール４を光反射率が高い材料、例えば、アルミ板金製とすることで、導光体３から漏れ出す光をプライスレール４の裏面が導光体３に向けて反射して、照明光の有効利用を図ることができる。また、第二反射板１２を削減できるので低コスト化が可能になる。ここで、１５Ａはサイドカバーであって、導光体３やプライスレール４の長手方向の両端面に装着されている。
【００８７】
次に、支持手段４１Ｂを用いて棚板照明装置１を固定するための好ましい形態について図９Ａ〜図９Ｃを用いて説明する。
【００８８】
支持手段４１Ｂは、支持体部４１Ｂａと軸部４１Ｂｂと係合上面４１Ｂｃと係合下面４１Ｂｄを有する。支持体部４１Ｂａには前述したように係合孔部４１Ｂｅが設けられている。また、軸部４１Ｂｂにはネジ孔が設けられており、止めネジ４４Ａを用いてこの支持手段４１Ｂを取付部材ＢＫに固定する。
【００８９】
係合上面４１Ｂｃと係合下面４１Ｂｄは、ともに傾斜面となっており、この傾斜面が導光体に設けられる凹部３４の傾斜面と係合して、導光体３を取付部材ＢＫ側に押し付けるようにして固定する。すなわち、傾斜した係合上面４１Ｂｃと係合下面４１Ｂｄを有する支持手段４１Ｂを介して、導光体３を取付部材ＢＫに対して正確な姿勢で固定可能となる。また、この後で、取付部材ＢＫや取付部材６にネジ止めする。
【００９０】
プライスレール側に設ける係合突部４３は、例えば、プライスレール４の裏板４ａにナット部材４４Ｂを用いて固定する。そして、この係合突部４３を、図９Ｂの矢印Ｄ１方向に移動し、図９Ｃの矢印Ｄ２方向に押し込むようにして係合孔部４１Ｂｅに嵌め込んでプライスレール４を導光体３に、すなわち照明ユニットに装着する。
【００９１】
次に、第三実施形態のプライスレール支持手段について図１０Ａ〜図１０Ｃを用いて説明する。
【００９２】
第三実施形態のプライスレール支持手段４１Ｃは、導光体３と同じ断面形状の透明体からなる板状の支持手段であって、プライスレール４を固定するためのネジ孔が設けられている。そのために、図１０Ａに示す側面図、図１０Ｂに示す正面図のように、ネジ孔４５ａ、４５ｂ、４５ｃを有する。
【００９３】
ネジ孔４５ａはプライスレール４を取り付けるためのネジ孔であり、ネジ孔４５ｂはこの支持手段４１Ｃを取付部材ＢＫに取り付けるためのネジ孔であり、ネジ孔４５ｃは取付部材６と支持手段４１Ｃを固定するためのネジ孔である。
【００９４】
また、この支持手段４１Ｃを用いて導光体を挟持するように構成することができ、例えば、図１０Ｃに示すように、左右一対の支持手段４１Ｃで導光体３Ｂを挟持する。また、この支持手段４１Ｃは、導光体３と同じ断面形状の透明体（例えば、ＰＭＭＡ製）からなるので、導光体３の射出面と連続した射出面を形成する。
【００９５】
すなわち、上記した構成であれば、支持手段４１Ｃが導光性を発揮して導光経路を形成し、導光された光を射出する。そのために、導光体３の射出面と共に連続した射出面を形成し、プライスレール４を支持する構成であっても、影ができず均一に照明することができる。
【００９６】
また、支持手段４１Ｃ間に照明光学系を配置するので、照明光学系の機械的強度を必要とせずに低コスト化が可能な構成となって好ましい。
【００９７】
このように、上記した棚板照明装置１を用いることで、複数段の棚板を備えたショーケースに陳列された商品を均一に照明することが可能となる。例えば、図１１に示すように、上側の棚板５Ａに棚板照明装置１Ａを配設し、下側の棚板５Ｂに棚板照明装置１Ｂを配設する。
【００９８】
すると、棚板照明装置１Ａは、棚板５Ａに載置された商品Ｍ１の前面領域を照明する照明光ＲＡ１と、棚板５Ｂに載置された商品Ｍ２の上側領域を照明する照明光ＲＢ１を射出する。また、棚板照明装置１Ｂは、棚板５Ｂに載置された商品Ｍ２前面領域を照明する照明光ＲＡ２と、棚板５Ｂのもう一つ下の段の商品の上側領域を照明する照明光ＲＢ２を射出する。
【００９９】
また、この際に、いずれの照明光も、導光体３の支持部材やプライスレール４の支持部材などによって影が生じないので、商品の所定領域を均一に照明可能となる。
【０１００】
一方、従来の支持方法では、例えば、図１２Ａに示すように、棚板５１の前端に支持部材４６を用いてプライスレール４を固定するときに、棚板５１の上側に向かう照明光ＲＡａは前述したＲＡ１やＲＡ２と同様に影を作らず均一に射出される。しかし、下側に向かう照明光ＲＢａは、支持部材４６の影が生じてしまい、その分不均一となってしまう。
【０１０１】
例えば、図１２Ｂに示すように、所定間隔をおいて、複数の小幅の支持部材４６Ａ、４６Ｂ・・・を配設した場合は、この支持部材４６Ａ、４６Ｂの下側の所定範囲ＡＢ１、ＡＢ２に影が生じて周囲に比べて暗くなる。
【０１０２】
照明ユニットの両サイドで支持する構成の場合は、強度を確保するために、支持部材が大型化してしまい、コストアップとなるだけでなく、外観の意匠性も悪化して好ましくない。また、長手方向に複数の小幅の支持部材を用いる構成の場合に、この支持部材を小さくすれば影は薄くなるが、支持強度を得るためにはむやみに小さくできない。
【０１０３】
本実施形態では、影を作らない導光体の光路の中間部に支持手段を複数設ける構成としたので、支持手段を大きくすることなく支持強度を確保できる。また、射出する照明光は、支持手段を横切った後で混ざるので影を生じず、棚板上に陳列された商品を均一に照明することができる。
【０１０４】
例えば、図１３に示すショーケースＳＣのように、台座１０１と本体枠１０２と冷却機１０３を備え、陳列室に複数の棚板５Ａ、５Ｂ、５Ｃを設け、それぞれの棚板の前端に棚板照明装置１Ａ、１Ｂ、１Ｃを装着した構成では、棚板照明装置１Ａが、棚板５Ａに載置された商品の前面領域を照明する照明光ＲＡ１と、棚板５Ｂに載置された商品の上側領域を照明する照明光ＲＢ１を、それぞれ影を生じることなく均一に射出する。
【０１０５】
また、棚板照明装置１Ｂは、棚板５Ｂに載置された商品の前面領域を照明する照明光ＲＡ２と、棚板５Ｃの商品の上側領域を照明する照明光ＲＢ２を均一に射出し、棚板照明装置１Ｃは、棚板５Ｃに載置された商品の前面領域を照明する照明光ＲＡ３と、棚板５Ｃの下にある商品の上側領域を照明する照明光ＲＢ３をそれぞれ均一に射出する。
【０１０６】
このように、本実施形態に係る棚板照明装置１（１Ａ〜１Ｃ）を備え、前端にプライスレール４が装着される棚板５（５Ａ〜５Ｃ）を複数段備えるショーケースＳＣであれば、着脱容易なプライスレール４を備え、プライスレール４の支持手段の影を作らずに、棚板上に陳列された商品を、棚板の上下から均一に照明可能なショーケースＳＣを得ることができる。
【０１０７】
上記したように本実施形態に係る棚板照明装置は、棚板とプライスレールの間に照明ユニットを設け、長手方向に沿って連続した射出面から、長手方向に連続して均一な照明光を射出する構成としているので、棚板の前端にプライスレールを設ける構成であっても、プライスレールの支持手段の影を作らずに均一に照明可能な棚板照明装置となる。
【０１０８】
また、このような棚板照明装置を備えたショーケースとしたので、棚板上に陳列された商品を棚板の上下から均一に照明可能なショーケースを得ることができる。
【０１０９】
また、照明ユニットやプライスレールの支持手段を小型化できるので、棚板の商品スペースを広く確保することができ、商品の陳列作業を容易に、且つ、安全に行うことができる。さらに、プライスレールが着脱容易な構成であるので、スライド式のプライスカードであっても、カードの交換作業が簡単となって、商品の陳列作業やプライスカード交換作業などの作業性が向上する。
【０１１０】
上記したように、本発明に係る棚板照明措置は、プライスレールと棚板との間に配設するコンパクトな構成であるので、棚板の商品スペースを広く確保しつつ、棚板上の商品を効率よく効果的に上下から照明可能となる。
【産業上の利用可能性】
【０１１１】
そのために、本発明に係る棚板照明装置は、上下に複数の棚板を備える多段式のショーケースに用いる照明装置に好適に適用することができる。
【符号の説明】
【０１１２】
１、１Ａ〜１Ｃ    棚板照明装置
２    点状光源（ＬＥＤ光源）
３、３Ａ〜３Ｄ  導光体
４    プライスレール
５、５Ａ〜５Ｃ  棚板
１２    第二反射板
３１    入射部
３２    第一導光部（第一導光経路）
３２ａ  第一射出面（射出部）
３３    第二導光部（第二導光経路）
３３ａ  第二射出面（射出部）
３４    凹部
４１    支持手段
４１Ａ  止めネジ（支持手段）
４１Ｂ  支持手段（係合孔部を有する）
４１Ｂｅ  係合孔部
４１Ｃ  支持手段（板状）
４３    係合突部
Ｌ１〜Ｌ４  光線
ＲＡ、ＲＢ  照明光
ＳＣ    ショーケース
【図１】
2012165877.tif 000003
【図２】
2012165877.tif 000004
【図３】
2012165877.tif 000005
【図４】
2012165877.tif 000006
【図５】
2012165877.tif 000007
【図６】
2012165877.tif 000008
【図７】
2012165877.tif 000009
【図８】
2012165877.tif 000010
【図９Ａ】
2012165877.tif 000011
【図９Ｂ】
2012165877.tif 000012
【図９Ｃ】
2012165877.tif 000013
【図１０Ａ】
2012165877.tif 000014
【図１０Ｂ】
2012165877.tif 000015
【図１０Ｃ】
2012165877.tif 000016
【図１１】
2012165877.tif 000017
【図１２Ａ】
2012165877.tif 000018
【図１２Ｂ】
2012165877.tif 000019
【図１３】
2012165877.tif 000020